(57)【要約】【課題】極めて廉価に提供でき，然も軽量であることと相俟って、移動に便利な適度の摺動性があり、且つ又積層性も備えている搬送用ケースを提供する。【解決手段】アングル型軽量金属にて形成した四角型枠体に薄板と他材貼り合わせで形成した構造板を底板、側板として四角型枠体に固定して箱体を構成すると共に、蓋体はアングル型軽量金属にて形成した平型枠体に薄板と他材を貼合わせて形成した構造板を固定して構成し、箱体上部に開閉自在に取付ける一方、箱体下部隅角部及び蓋体上部隅角部には半球状カバーを夫々突出形成させる。【選択図】  図１
2004331163.tif 000002
【特許請求の範囲】
【請求項１】
アングル型軽量金属にて形成した四角型枠体に薄板と他材貼り合わせで形成した構造板を底板、側板として四角型枠体に固定して箱体を構成すると共に、蓋体はアングル型軽量金属にて形成した平型枠体に薄板と他材を貼合わせて形成した構造板を固定して構成し、箱体上部に開閉自在に取付ける一方、箱体下部隅角部及び蓋体上部隅角部には半球状カバーを夫々突出形成させたことを特徴とする搬送用ケース。
【請求項２】
構造板は二枚の薄板間に所望のリブを設けて形成した一体中空構造板を使用することを特徴とする請求項１に記載の搬送用ケース。
【請求項３】
平方枠体上部隅角部に突出形成させた半球状カバーは、上部に凹部を形成させたことを特徴とする請求項１又は２に記載の搬送用ケース。
【発明の詳細な説明】
【０００１】
【発明の属する技術分野】本発明は、搬送用ケースに関するものである。
【０００２】
【従来の技術】予め型鋼で作られた枠組みに、発泡スチロールの芯材の上下面に鋼板を配置して塗料を塗布して作成したパネルを枠組みに取付けた成型体が提案されている。（特許文献１参照）又、収納ケースの上下に嵌合部を設けた構成があり、積層時、該嵌合部が嵌合して積上げが良好に行える収納ケースが提案されている。（特許文献２参照）又、搬送用ケースとして、アルミ枠体にアルミ板を固定して形成されたものは現実に使用されている。
アルミ枠体及びアルミ板により構成されるスースは、その軽量、耐衝撃性、耐熱性、耐水性、耐油性、耐薬品性等の故に、搬送用、収納用、就中通貨、貴重品、精密機械部品用として使用されている。
【０００３】
【特許文献１】特開平２００２−１６７４５５号公報
【特許文献２】特開平２００２−３３７８７６号公報
【０００４】
【発明が解決しようとする課題】
しかし、収納用としては、アルミ枠体及びアルミ板より構成されるケースは、鉄、その他の金属、合金に比し、特にその重量を主として非常に有用であるが、軽量とは云っても、アルミニウムの比重は約２．７であり、搬送用ケースに仕立て、これに所望の物品を収納する場合には、かなりの重量となる。又、アルミ枠体とアルミ板の固定はリベット、溶接で行われるが、固定箇所が多数あり、作業が大変であることなどより、その製造コストは高いものである。
【０００５】
又、従来のアルミケースは、隅角部には、角型の補強部材が設けられているのが通常であるが、移動時にはこれらケースを引き摺ることがあり、床や階段等の損傷を引き起こすケースが多い、更に、これに備えてキャスターを設けることも行われているが、ケースの予期しない移動を来たし、事故に繋がりかねず、又、キャスターの停止装置の設置などコストも上がることになる。
このため、搬送用ケースとしては、特殊用途に限られ、一般的な使用は難しく、搬送用としての普及に至っていない。
【０００６】
【課題を解決するための手段】そこで本発明に於いては、非常に軽量に形成でき、製造コストは材質が廉価で製作法が容易である事から、極めて廉価に提供でき，然も軽量であることと相俟って、移動に便利な適度の摺動性があり、且つ又積層性も備えている搬送用ケースを提案せんとするもので、アングル型軽量金属にて形成した四角型枠体に薄板と他材貼り合わせで形成した構造板を底板、側板として四角型枠体に固定して箱体を構成すると共に、蓋体はアングル型軽量金属にて形成した平型枠体に薄板と他材を貼合わせて形成した構造板を固定して構成し、箱体上部に開閉自在に取付ける一方、箱体下部隅角部及び蓋体上部隅角部には半球状カバーを夫々突出形成させたことを特徴とする。
【０００７】
【発明の実施の形態】以下、図に示す一実施形態により本発明を詳細に説明する。
箱体１は断面Ｌ字状のアングル型軽量金属の縦枠２，２，…を四隅に立て、相隣るアングル型軽量金属の縦枠２，２，…間の下端及び上端を同型のアングル型軽量金属の横枠３，３…を以って連結固定させて枠体４を構成し、該枠体４の各側面及び底面に縦枠２，２及び横枠３，３間に構造板の側板５，５…、同構造の底板６を張り固定して形成させる。
縦枠２，２、横枠３，３に使用される軽量金属は、アルミニウム又はアルミニウム合金が推奨される。
それら、縦枠２、横枠３間の固定は、リベット打ち、溶接等にて行われる。横枠３を枠体４の上部に使用する場合、Ｌ字状のアングル型でなくても、例えばコ字状を伏せた型の構造材を用いることも出来る。
【０００８】
側板５及び底板６を形成する構造板は、薄板５１と他の貼合材５２を以って構成される。該薄板５１はポリプロピレン等の合成樹脂が好ましく、他の貼合材５２には不織布、発泡シート等がある。又、他の貼合材５２として、薄板５１に波型や立て枠を設けて該波型や立て枠を緩衝材として挟持板とした構造板、更に一方の薄板５１に薄いアルミニウム等の金属薄板を使用することも可能である。
この貼合材５２として、波型や立枠等のリブを緩衝材とした場合、一体中空構造板が形成されるが、これらを全プラスチックで構成し、プラスチック段ボールとして使用することも可能である。
側板５及び底板６を縦枠２、横枠３への固定は、ビス、リベット等によるのが便である。縦枠２と上部横枠３を固定する際に、アングル状の補強材７，７…を用いて補強することは推奨される。又、縦枠２と横枠３を固定する際に、隅角部を覆う略半球状のカバー８，８をその張出片８１，８１にて側板５、底板６に固定しておく。又、必要に応じ、張出片８１，８１，…を縦枠２、横枠３とリベット、ビス等により固定してもよい。下部横枠３，３，…に底板６を張って形成される底面は、横枠３，３間に別の枠、桟等を張渡して補強させることも出来る。
【０００９】
９は蓋体で、断面Ｌ字状のアングル型軽量金属の上部横枠１０，１０，…を以って四角型枠１２を形成し、同型の下部横枠１１，１１，…を以って四角型枠１３を形成し、夫々の隅角部に縦枠１４，１４，…を介して枠体１５を構成し、上部横枠１０，１０，…により形成される四角型枠１３に側板５、底板６と同構成の構造板を天板１６とし、枠体１５には同じ構造板の側板１７，１７，…を張って構成してある。四角型枠１３の各隅には、アングル状の補強材１８，１８，…を用いて補強するのがよい。
【００１０】
又、四角型枠１２の各隅には、隅角部を覆う略半球状のカバー１９，１９，…を設け、その張出片１９１，１９１，…を天板１６に固定してある。この張出片１９１は、四角型枠１２、四角型枠１３に固定することも出来る。カバー１９の頂部には凹部１９２を形成してカバー８の下部が載置できるように構成してある。
又、蓋体９は上部横枠１０，１０，…を以って構成した四角型枠１２と、そこに固定した天板１６のみを以って一枚の板状に構成することも出来る。この蓋体９は、底面に於いて、横枠３，３，…間に別の枠、桟等を張渡した如く、同様に別の枠、桟等を張渡して補強することも出来る。
蓋体９は丁板等により開閉自在に設けるのが便である。
その他、箱体１の側板５，５に把手２０，２０を設け、蓋体９の天板１６には把手２１，２１を設けてある。２２は箱体１と蓋体９間に設けた錠である。
【００１１】
【実施例】側板５及び底板６を構成する構造板は、ポリプロピレン樹脂を用いて形成した薄板５１（１ｍｍ〜３ｍｍ）を用い、同資材のリブ５２を略均一に配して他の薄板５１を貼合材として前記薄板５１に貼合せ接着して構成してある。この全体の厚みを６〜１２ｍｍ程度に構成するのが便である。又、リブは他の合成樹脂の波型材、発泡性樹脂、不織布等を使用することができる。
この複合的な構成により、比重０．２程度に形成でき、軽量化が実現できた。更に、この構造板の機械的強度と枠体の軽量弾性とが相俟って、極めて強靭な且つ弾性的な耐衝撃の大なる箱体が構成された。
【００１２】
次いで、その使用法について説明すれば、箱体１には所望の収納物、例えば現金カセット、ＡＴＭ及び部品、ノートＰＣ、液晶ＣＲＴ、その他の貴重品、重要品を収納し、発泡スチロール、エア収納包装材等の空間充填材を所望に応じ充填し、或いは予めそれらにて形成した型材と共に収納させて搬送するものである。
又、収納時には多数のケースを扱う場合、幾段にも積層することが可能である。即ち、蓋体上部隅角部には略半球状のカバー１９，１９，…が設けられ、その上に他ケースを載置するとき、そのケースの下部の半球状のカバー８，８，…が安定的に置かれる。
【００１３】
又、本搬送ケースの移動は、把手２１，２１又は把手２０，２０にて持ち上げて行うが、床上を摺動移動も可能である。即ち、カバー８，８，…にて四隅を支えているため、床との接触面が小さく、摺動抵抗は小さいので、小さな力で容易に移動できる。
【００１４】
【発明の効果】上記の如き本発明によれば、アングル型軽量金属にて形成した四角型枠体に薄板と他材貼り合わせで形成した構造板を底板、側板として四角型枠体に固定して箱体を構成すると共に、蓋体はアングル型軽量金属にて形成した平型枠体に薄板と他材を貼合わせて形成した構造板を固定して構成し、箱体上部に開閉自在に取付ける一方、箱体下部隅角部及び蓋体上部隅角部には半球状カバーを夫々突出形成させたので、ポリプロピレン樹脂等の合成樹脂板の構成材と、アルミ枠体との箱体、蓋体構成により、複合構成材として、夫々の持味が生かされ、比重が小さく、その割りに引張り曲げ圧縮等が強化され、耐衝撃性が強く、収納物の保護に抜群の力を発揮できる構成になっている。
【００１５】
又、耐水性、耐油性、耐薬品性もあり、外面保護にも優れている。
又、耐候性、耐寒性に優れ、温度差にも対処でき、使用地を選ばずどこでも使用可能である。
又、材料費も安く、製造も容易で廉価に出来る等実用効果著大である。
【００１６】
又、請求項２の発明によれば、構造板は二枚の薄板間に所望のリブを設けて形成した一体中空構造板を使用するので、その複合材としての強度、軽量化が更に発揮され、精密機器等の収納搬送に威力をふるうことが出来る。
【００１７】
更に、請求項３の発明によれば、平方枠体上部隅角部に突出形成させた球状部は、上部に凹部を形成させたので、本ケースを積み重ねる場合、箱体の底部の球状部が、下のケースの上部カバーの凹部に適合して載置され、積み重ねが確実に行われる。
【図面の簡単な説明】
【図１】本発明一実施例斜面図
【図２】同上一部切欠き面図
【図３】同上中央縦断正面図
【図４】同上一部切欠縦断拡大図
【符号の説明】
１  箱体
２  縦枠
３  横枠
４  枠体
５  側板
６  底板
７  補強材
８  カバー
９  蓋体
１０  上部横枠
１１  下部横枠
１２  四角型枠
１３  四角型枠
１４  縦枠
１５  枠体
１６  天板
１７  側板
１８  補強材
１９  カバー
２０  把手
２１  把手
２２  錠
【図１】
2004331163.tif 000003
【図２】
2004331163.tif 000004
【図３】
2004331163.tif 000005
【図４】
2004331163.tif 000006